(57)【要約】【課題】商品収納庫の前面の開口を閉塞する断熱扉の構造を工夫して、部品の管理を容易にし、サービス性やリサイクル性を向上させた自動販売機を提供する。【解決手段】本体１内に備えられた商品収納庫２と、商品収納庫２内に備えられた商品収納ラック８と、商品収納庫２の前面を閉塞する断熱扉と、断熱扉の下部に設けられ商品収納ラック８から搬出された商品を商品取出部１６に搬出する商品搬出口１７を備えた自動販売機において、前記断熱扉は、商品収納ラック８の商品投入口８ａが設けられた商品収納庫２の前面上部を覆う上部断熱扉６と、商品搬出口１７を備え商品収納庫２の前面下部を覆う下部断熱扉４と、上部断熱扉６と下部断熱扉４との間に設けられ商品収納庫２の前面中部を覆う中部断熱扉５とを分割して備えたことを特徴とする自動販売機。【選択図】　　　図３
2004038825.tif 000002
【特許請求の範囲】
【請求項１】
本体内に備えられ前面を開口した商品収納庫と、前記商品収納庫内に備えられ前記前面の開口上部に商品投入口を設けた商品収納ラックと、前記商品収納庫の前面を閉塞する断熱扉と、前記断熱扉の下部に設けられ前記商品収納ラックから搬出された商品を前記商品収納庫の外方に備えられた商品取出部に搬出する商品搬出口を備えた自動販売機において、前記断熱扉は、前記商品投入口が設けられた前記前面の開口上部を覆う上部断熱扉と、前記商品搬出口を備え前記前面の開口下部を覆う下部断熱扉と、前記上部断熱扉と前記下部断熱扉との間に設けられ前記前面の開口中部を覆う中部断熱扉とを分割して備えたことを特徴とする自動販売機。
【請求項２】
前記中部断熱扉は前記本体に固定して備えられたことを特徴とする請求項１に記載の自動販売機。
【発明の詳細な説明】
【０００１】
【発明の属する技術分野】
本発明は、本体内に前面を開口した商品収納庫を区画形成し、前記商品収納庫の前面の開口を覆う断熱扉を複数個に分割して備えた自動販売機に関するものである。
【０００２】
【従来の技術】
従来のこの種の自動販売機としては、例えば特開平６−９６３４２号公報に開示されたものが知られている。この自動販売機は、商品収納ラック８に商品の補充を行う場合の作業性を向上させるため、図６に示すように、本体１内に設けられた商品収納庫２の前面の開口を覆う断熱扉６、２０を上下に分割し、その上側の上部断熱扉６を自動販売機の本体１前面を閉塞する外扉３に設けて、外扉３を開いたときに上部断熱扉６を同時に開いて、前記前面の開口上部に設けられた商品収納ラック８の商品投入口８ａに直接商品の補充ができるように構成したものである。
【０００３】
また、この構成において、下側の下部断熱扉２０は、商品収納庫２内に設けられた商品収納ラック８から搬出された商品を外扉３に設けられた商品取出部（図示なし）に搬出する商品搬出口１７を備え、商品の補充を行う場合は、商品収納庫２前面の開口の下部を覆った状態で備えられる。
【０００４】
【発明が解決しようとする課題】
ところで、この下部断熱扉２０に設けられる商品搬出口１７は、商品収納庫２内に設けられた商品収納ラック８に収納された商品を、下部断熱扉２０を介して商品収納庫２の外側の例えば外扉３に設けられた商品取出部１６に搬出するために設けられるものである。したがって、この商品搬出口１７から搬出される商品の形状や大きさは商品収納庫２内に設けられる商品収納ラック８の種類によって異なる。すなわち、下部断熱扉２０に設けられる商品搬出口１７は、商品収納庫２内の商品収納ラック８の種類や配置状態に応じてその取付位置や形状等を適正に設ける必要がある。このため、従来は同一の大きさや形状の下部断熱扉２０であっても、商品搬出口１７の取付位置や形状等が異なる多種類の下部断熱扉２０が必要であった。これにより部品の管理が煩雑となり製造コストやサービスコストが低減できない問題があった。
【０００５】
本発明は、このような問題を解決するために成されたもので、従来の下部断熱扉の構造を工夫し、部品の管理を容易に改善して製造・サービスコストを削減し、さらにはリサイクル性や信頼性を向上させることを目的としたものである。
【０００６】
【課題を解決するための手段】
上記課題を解決するため、請求項１にかかる発明は、本体内に備えられ前面を開口した商品収納庫と、前記商品収納庫内に備えられ前記前面の開口上部に商品投入口を設けた商品収納ラックと、前記商品収納庫の前面を閉塞する断熱扉と、前記断熱扉の下部に設けられ前記商品収納ラックから搬出された商品を前記商品収納庫の外方に備えられた商品取出部に搬出する商品搬出口を備えた自動販売機において、前記断熱扉は、前記商品投入口が設けられた前記前面の開口上部を覆う上部断熱扉と、前記商品搬出口を備え前記前面の開口下部を覆う下部断熱扉と、前記上部断熱扉と前記下部断熱扉との間に設けられ前記前面の開口中部を覆う中部断熱扉とを分割して備える。
【０００７】
この構成によれば、前記本体の幅が同一であれば前記中部断熱扉を商品収納ラックの種類や配置状態に関らず共通に使用することが可能となり、また前記商品搬出口を備える下部断熱扉を小型化することができることにより断熱扉の部品の管理を従来に比べて容易にすることができる。
請求項２にかかる発明によれば、請求項１に記載の自動販売機において、前記中部断熱扉は前記本体に固定して備えられたことによって、前記本体の強度を向上させることができる。
【０００８】
【発明の実施の形態】
本発明の実施形態について図を参照して説明する。尚、従来と同等または同様の機能を有する構成には同じ記号を付す。
図１は本発明の実施形態の自動販売機を示す正面図、図２は本発明の実施形態の自動販売機を示す側断面図、図３は本発明の実施形態の自動販売機において外扉を除いた状態を示す本体正面図、図４は本発明の実施形態の自動販売機の断熱扉の構成を示す斜視図である。
【０００９】
図に示すように、この自動販売機は前面を開口する商品収納庫２を備えた本体１と、本体１前面を覆う外扉３と、商品収納庫２の前面の開口を閉塞する断熱扉４、５、６とから構成されるものである。
商品収納庫２は本体１内に断熱壁７よって画成されて形成され、内方に缶やビン等の商品を収納する商品収納ラック８が設けられている。商品収納ラック８は上部に前方から商品を投入する商品投入口８ａが設けられ、下部に商品を搬出する商品搬出装置（図示なし）が備えられている。また、商品収納ラック８の下方には、商品収納ラック８の下部から商品搬出装置によって搬出された商品を商品収納庫２の前方に送出する商品搬出シュート９が配設されている。
【００１０】
外扉３は前面に、商品展示部１１、商品選択ボタン１２、商品取出口扉１３、金銭投入口１４、鍵部１５等を備え、背面の下部には商品搬出シュート９よって送出された商品が後述の下部断熱扉４を介して搬出される商品取出部１６、背面の上部に商品収納庫２前面の開口の上部を商品収納ラック８の商品投入口８ａと相対するように閉塞する上部断熱扉６が配設されている。また、外扉３は一端が本体１にヒンジ１０によって軸支され、左右方向に開き戸形式で開閉される。
【００１１】
商品収納庫２の前面の開口を閉塞する断熱扉は、上述の上部断熱扉６の他に、商品収納庫２前面の開口の下部を覆う下部断熱扉４と、上部断熱扉６と下部断熱扉４の間に配設され商品収納庫２前面の開口の中部を覆う中部断熱扉５がそれぞれ分割して設けられている。ここで下部断熱扉４は、商品収納ラック８から搬出されて商品搬出シュート９によって前方に送出された商品が、商品収納庫２外方の外扉３に設けられた商品取出部１６に送出されるために通過する商品搬出口１７を備えている。そして、下部断熱扉４は左右端を係止部材２１と係止ラッチ２２によって本体１に着脱可能に係止され、商品収納庫２前面の開口の下部を開閉可能に閉塞する。また、中部断熱扉５は、両端を固定部材２３によって本体１に緩みなく固定され、商品収納ラック８の商品積重部８ｂに相対する商品収納庫２前面の開口の中部を覆っている。尚、固定部材２３はネジ２４によって本体１の内壁に固定される。
【００１２】
このように構成された自動販売機に商品の補充を行う場合に、外扉３を開けると、外扉３の背面に設けられた上部断熱扉６が同時に開かれ、商品収納庫２前面の開口の上部から商品収納ラック８の商品投入口８ａに商品が直接に補充できる。これにより、機体内に商品の補充を行う場合の作業性を向上させることができる。
【００１３】
また、商品収納ラック８に収納する商品の種類を変更する場合は、外扉３を開けた後、下部断熱扉４を係止する係止ラッチ２２を開いて下部断熱扉４を本体１から取外して商品収納庫２前面の開口の下部を開放し、この開放部分により商品収納ラック８の下部の商品搬出口８ｃに配設された商品通路幅設定板（図示なし）や商品搬出装置を操作して、収納する商品に応じた設定変更をすることができる。
【００１４】
ここで、下部断熱扉４の上方に分割して設けられた中部断熱扉５は、図に示すようにその両端を固定部材２３によって本体１の両側に緩みなく固定されている。そして、このように備えられた中部断熱扉５は、前面が開口した本体１の補強部材として機能し、本体１の捩れ等の変形を防止し信頼性を向上させることができる。さらには、本体１を構成する外殻部１ａに設けられる変形防止用の補強部財の削除や、外殻部１ａを形成する鋼板の板厚を薄くすることが可能となり、本体１のコストを安くすることができる。
【００１５】
ところで、下部断熱扉４は、商品収納ラック８から商品搬出シュート９に搬出された商品を、外扉３の背面に設けられた商品取出部１３に送出するための商品搬出口１７を備えている。そして、商品収納庫２内に備えた商品収納ラック８の種類や配置状態によって搬出される商品の形状や搬出位置は異なるから、この商品搬出口１７は、配置される商品収納ラック８に応じて、下部断熱扉４に多様に配設される。このため、下部断熱扉４は、同じ大きさであっても、商品搬出口１７の異なる多種類のものが生じる。
【００１６】
しかしながら、本発明においては、断熱扉を上部断熱扉６の他に、下部断熱扉４と中部断熱扉５にそれぞれ分割して備えたことにより、下部断熱扉４を従来に比べて小さくすることができ、製造コストを安くするとともに、保管や運搬などサービスコストを安くすることができる。また、中部断熱扉５は商品搬出口１７を備えず簡単な構造にすることができるため、組立コストを安くするとともに、分解し易くリサイクルを容易にすることができる。さらに、中部断熱扉５は本体１の大きさ（幅）が同じであれば、内蔵する商品収納ラック８の種類や配置状態に係らずに共通に使用可能となり、サービスコストを低減することができる。
【００１７】
図５は、本発明の実施形態の下部断熱扉４の要部の構成を示す斜視図である。図に示すように、この下部断熱扉４の構造は、ブロック状のスラブ材２６ａ、２６ｂ、２７ａ、２７ｂ、２７ｃ、２７ｄを前後面を保護する鋼板２８ａ、２８ｂで挟み、商品搬出口１７を形成する商品販売出口部材１７ａ、１７ｂで前後から挟み込む構造である。このような構造において、商品収納庫２内に備えた商品収納ラック８の種類や配置状態に応じて、商品搬出口１７を下部断熱扉４に異なって配設する場合は、鋼板２８ａ、２８ｂに形成された角穴２８ａａ、２８ｂａとスラブ材２７ａ、２７ｂ、２７ｃ、２７ｄを変更することで容易に商品搬出口１７の位置を変更することができる。また、このように構成することで分解し易くリサイクルが容易であり、地球環境を保護する観点から地球環境に対する影響の少ない自動販売機を提供することができる。
【００１８】
【発明の効果】
以上説明したように請求項１に係る発明によれば、本体の幅が同一であれば中部断熱扉を商品収納ラックの種類や配置状態に関らず共通に使用することが可能となり、また商品搬出口を備える下部断熱扉を小型化することができることにより、断熱扉部品の管理を従来に比べて容易にすることができることによって、製造コストを安くするとともに、保管や運搬等のサービスコストを安くすることができる。
【００１９】
請求項２に係る発明によれば、本体の強度を向上させることができることにより、本体の捩れ等の変形を防止して信頼性を向上させることができる。さらには、本体を構成する補強部財の削除や、鋼板の板厚を薄くすることなどが可能となりコストを安くすることができる。
【図面の簡単な説明】
【図１】本発明の実施形態の自動販売機を示す正面図である。
【図２】本発明の実施形態の自動販売機を示す側断面図である。
【図３】本発明の実施形態の自動販売機において外扉を除いた状態を示す本体正面図である。
【図４】本発明の実施形態の自動販売機の断熱扉の構成を示す斜視図である。
【図５】本発明の実施形態の自動販売機の下断熱扉の要部の構成を示す斜視図である。
【図６】従来の実施形態の自動販売機の断熱扉の構成を示す斜視図である。
【符号の説明】
１　本体
２　商品収納庫
４　下部断熱扉
５　中部断熱扉
６　上部断熱扉
８　商品収納ラック
８ａ　商品投入口
１６　商品取出部
１７　商品搬出口
２３　固定部材
２４　ネジ
【図１】
2004038825.tif 000003
【図２】
2004038825.tif 000004
【図３】
2004038825.tif 000005
【図４】
2004038825.tif 000006
【図５】
2004038825.tif 000007
【図６】
2004038825.tif 000008